(57)【要約】 【課題】フォーカスエラー信号に発生する外乱の影響を及びトラッキングエラー信号に生じるオフセットを大幅に削減でき且つ光スポットを複数化するためのグレーティングの調整を行うことができるようにすること。【解決手段】２個のサブスポットの反射光をそれぞれ光電変換する光検出器２１、２２の各分割領域から出力される光電変換信号を加算器５１〜５４に入力する際に、加算する信号の出力元の分割領域が同一の光検出器に属するように或いは、加算する信号の出力元の分割領域が２個の光検出器２１と２２に属する領域に跨がるように、切替スイッチ６１〜６４により切り替えることによって、フォーカスエラー信号に発生する外乱の影響を及びトラッキングエラー信号に生じるオフセットを大幅に削減し且つ、光スポットを複数化するためのグレーティングの調整を行うことができる。【選択図】図１
2005174421.tif 000002
【特許請求の範囲】
【請求項１】
光ディスク上に３つ以上の光ビームを照射してひとつのメインスポット及び第１、第２のサブスポットの反射光を受光するフォトディテクタ回路であって、
少なくとも４分割以上された光電変換領域を有し、前記メインスポットの反射光を受光する第１の光検出器と、
少なくとも４分割以上された光電変換領域を有し、前記第１のサブスポットの反射光を受光する第２の光検出器と、
少なくとも４分割以上された光電変換領域を有し、前記第２のサブスポットの反射光を受光する第３の光検出器と、
前記第２、第３の光検出器の光電変換領域の中の２つ以上の分割領域から出力される光電変換信号を加算する複数の加算器と、
前記各加算器に入力される光電変換信号の出力元の分割領域を切り替え、すなわち一方は加算する信号の出力元の分割領域が同一の光検出器に属するようにし、他方は加算する信号の出力元の分割領域が２つ以上の光検出器に属する領域に跨がるように切り替える複数の切替スイッチと、
を具備することを特徴とするフォトディテクタ回路。
【請求項２】
前記第２、第３の光検出器の各分割領域から出力される光電変換信号を電圧信号に変換して前記加算器または切替スイッチに入力する複数の電圧電流変換器を具備することを特徴とする請求項１記載のフォトディテクタ回路。
【請求項３】
光ディスク上に３つ以上の光ビームを照射してひとつのメインスポット及び第１、第２のサブスポットの反射光を受光するフォトディテクタ回路であって、
ａ，ｂ，ｃ，ｄの領域に４分割された光電変換領域を有し、前記メインスポットの反射光を受光する第１の光検出器と、
ｅ，ｆ，ｇ，ｈの領域に４分割された光電変換領域を有し、前記第１のサブスポットの反射光を受光する第２の光検出器と、
ｉ，ｊ，ｋ，ｌの領域に４分割された光電変換領域を有し、前記第２のサブスポットの反射光を受光する第３の光検出器と、
一方の入力端子に前記ｆ領域の光電変換信号が入力される第１の加算器と、
一方の入力端子に前記ｈ領域の光電変換信号が入力される第２の加算器と、
一方の入力端子に前記ｋ領域の光電変換信号が入力される第３の加算器と、
一方の入力端子に前記ｉ領域の光電変換信号が入力される第４の加算器と、
前記第１の加算器の他方の入力に前記領域ｇまたは前記領域ｊの光電変換信号のいずれかを切り替えて入力する第１の切替スイッチと、
前記第２の加算器の他方の入力に前記領域ｅまたは前記領域ｌの光電変換信号のいずれかを切り替えて入力する第２の切替スイッチと、
前記第３の加算器の他方の入力に前記領域ｇまたは前記領域ｊの光電変換信号のいずれかを切り替えて入力する第３の切替スイッチと、
前記第４の加算器の他方の入力に前記領域ｅまたは前記領域ｌの光電変換信号のいずれかを切り替えて入力する第４の切替スイッチと、
を具備することを特徴とするフォトディテクタ回路。
【請求項４】
前記ｅ領域の光電変換信号を電圧信号に変換して前記第２、第４の切替スイッチに入力する第１の電流電圧変換器と、
前記ｇ領域の光電変換信号を電圧信号に変換して前記第１、第３の切替スイッチに入力する第２の電流電圧変換器と、
前記ｊ領域の光電変換信号を電圧信号に変換して前記第１、第３の切替スイッチに入力する第３の電流電圧変換器と、
前記ｌ領域の光電変換信号を電圧信号に変換して前記第２、第４の切替スイッチに入力する第４の電流電圧変換器と、
前記ｆ領域の光電変換信号を電圧信号に変換して前記第１の加算器に入力する第５の電流電圧変換器と、
前記ｈ領域の光電変換信号を電圧信号に変換して前記第２の加算器に入力する第６の電流電圧変換器と、
前記ｋ領域の光電変換信号を電圧信号に変換して前記第３の加算器に入力する第７の電流電圧変換器と、
前記ｉ領域の光電変換信号を電圧信号に変換して前記第４の加算器に入力する第８の電流電圧変換器と、
を具備することを特徴とする請求項３記載のフォトディテクタ回路。
【請求項５】
光ディスク上に３つ以上の光ビームを照射してひとつのメインスポット及び第１、第２のサブスポットの反射光を受光するフォトディテクタ回路を搭載し、前記フォトディテクタ回路から出力される信号によりデータの書き込みまたは読み出し時に前記フォトディテクタ回路を内蔵する光ピックアップのトラッキング及びフォーカス制御を行う光ディスク装置であって、
前記フォトディテクタ回路は、少なくとも４分割以上された光電変換領域を有し、前記メインスポットの反射光を受光する第１の光検出器と、少なくとも４分割以上された光電変換領域を有し、前記第１のサブスポットの反射光を受光する第２の光検出器と、少なくとも４分割以上された光電変換領域を有し、前記第２のサブスポットの反射光を受光する第３の光検出器と、前記第２、第３の光検出器の光電変換領域の中の２つ以上の分割領域から出力される光電変換信号を加算する複数の加算器と、前記各加算器に入力される光電変換信号の出力元の分割領域を切り替え、すなわち一方は加算する信号の出力元の分割領域が同一の光検出器に属するようにし、他方は加算する信号の出力元の分割領域が２つ以上の光検出器に属する領域に跨がるように切り替える複数の切替スイッチを具備することを特徴とする光ディスク装置。
【請求項６】
前記第２、第３の光検出器の各分割領域から出力される光電変換信号を電圧信号に変換して前記加算器または切替スイッチに入力する複数の電圧電流変換器を具備することを特徴とする請求項５記載の光ディスク装置。
【発明の詳細な説明】
【技術分野】
【０００１】
本発明は、ＤＶＤ等の光ディスクから記録信号を記録・再生する光ディスク装置に係り、特に光ディスクの記録面に照射する光スポットに対応する光電変換信号を得るフォトディテクタ回路に関する。
【背景技術】
【０００２】
従来より、光ディスク装置では、光ピックアップのトラッキングエラー信号を得る方式として、例えば差動プッシュプル（ＤＰＰ）法がある。この方法は３個のビームを光ディスクに照射し、各々の光スポットからプッシュプル方式により検出されたトラッキングエラー信号に所定の減算処理を施すことにより、対物レンズ変位に伴うオフセット成分をキャンセルすることができるという利点を有している。
【０００３】
図３は差動プッシュプル（ＤＰＰ）法を実現するための３個のスポットの位置関係を示した図である。この方法は、レーザー光源から出射された光ビームを回折格子により３つのビームに分けて、ディスク面に照射してスポットＭ，Ｓ１，Ｓ２を形成し、その際、サイドスポットＳ１，Ｓ２がメインスポットＭに対して、ディスクの半径方向にトラックピッチＰの半分だけずらして配置する。
【０００４】
図４は差動プッシュプル法を用いた場合の従来のフォトディテクタ回路（ＰＤＩＣ）の構成を示したブロック図である。メインスポットＭの反射光は４分割（領域ａ，ｂ，ｃ，ｄ）光検出器１で光電変換され、２個のサイドスポットＳ１，Ｓ２の反射光はそれぞれ  （１）では４分割｛（領域ｅ，ｆ，ｇ，ｈ）、（領域ｉ，ｊ，ｋ，ｌ）｝光検出器２で、（２）では２分割｛（領域ｅ，ｆ），（領域ｇ，ｈ）｝光検出器２で光電変換されている。これら光電変換により得られた各領域からの出力電流信号はそれぞれ前置増幅器（Trance Impedance Amp）３、（１）では加算器５、（２）では前置増幅器４により電圧信号に変換され、メインスポット側のサーボ信号としてＡ，Ｂ，Ｃ，Ｄが、サイドスポット側のサーボ信号としてＥ，Ｆ，Ｇ，Ｈが得られる。
【０００５】
これらサーボ信号Ａ〜Ｈは次段の図示されないＲＦ信号処理回路に入力される。このＲＦ信号処理回路は、信号Ａ〜Ｄよりフォーカスエラー信号を生成し、信号Ａ〜Ｈよりトラッキングエラー信号を生成する。この差動プッシュプル法により得られるトラッキングエラー信号｛（ａ＋ｄ）−（ｂ＋ｃ）｝−Ｋ１｛（Ｅ＋Ｇ）−（Ｆ＋Ｈ）｝はプッシュプル方式により生成されたトラッキングエラー信号が有する問題点、即ち対物レンズがトラッキング方向に変位した際にそれに伴ってトラッキングエラー信号に生じるオフセットを大幅に低減することができる。さらに、ＲＦ信号処理回路により信号（Ｅ＋Ｈ）と信号（Ｆ＋Ｇ）の差が算出できるため、この差に基づいて、上記した３スポットを生成するためのグレーティング（回折格子）の光軸方向の位置調整が行われる。
【０００６】
また、フォーカスエラー信号を得る方式として、例えば非点収差法がある。図５は差動非点収差法を用いた場合の従来のフォトディテクタ回路である。メインスポットＭの反射光を４分割（ａ，ｂ，ｃ，ｄ）光検出器１で光電変換し、２個のサイドスポットＳ１，Ｓ２の反射光を、それぞれ４分割（ｅ，ｆ，ｇ，ｈ）光検出器２及び４分割（ｉ，ｊ，ｋ，ｌ）光検出器２で光電変換する。
【０００７】
特に本例では、（ｅ，ｆ，ｇ、ｈ，ｉ，ｊ，ｋ，ｌ）の領域で光電変換された信号を加算器５で（ｅ＋ｉ），（ｆ＋ｊ），（ｇ＋ｋ），（ｈ＋ｌ）の加算を行うと共に、電圧信号に変換することにより、サーボ信号Ｅ〜Ｇが得られる。これら信号Ｅ〜Ｇはメインスポット側のサーボ信号Ａ〜Ｄと共に次段のＲＦ信号処理回路に出力される。
【０００８】
このＲＦ信号処理回路は、（ｅ＋ｇ＋ｉ＋ｋ）と（ｆ＋ｈ＋ｊ＋ｌ）及び（ａ＋ｃ），（ｂ＋ｄ）とに基づいて、｛（ａ＋ｃ）−（ｂ＋ｄ）｝＋Ｋ２｛（ｅ＋ｇ＋ｉ＋ｋ）−  （ｆ＋ｈ＋ｊ＋ｌ）｝を差動非点収差方式によるフォーカスエラー信号として算出する。このフォーカスエラー信号では通常の非点収差法を用いて得たフォーカスエラー信号とは異なり、ＤＶＤ−ＲＡＭのようなランド・グルーブ型光ディスクで問題となる、トラック横断の際にフォーカスエラー信号に発生しやすい外乱の影響を大幅に解消することができる（例えば特許文献１参照）。
【０００９】
なお、上記のような従来のサーボ信号を得るフォトディテクタ回路は、一般的に、出力端子数を抑えチップサイズを極力小さくする目的で、差動プッシュプル法の場合は図４に示すように各サブスポットの内外トラック方向から得られる加算信号をサーボ信号として出力し、差動非点収差法の場合は、図５に示すように、各サブスポットの対角方向の加算信号をサーボ信号として出力している。
【特許文献１】特開２０００−８２２２６号公報
【発明の開示】
【発明が解決しようとする課題】
【００１０】
しかし、図４に示した従来の構成では、通常の非点収差法によりフォーカスエラー信号を生成しているため、特に光ディスクがＤＶＤ−ＲＡＭの場合、ディスク上のランドを再生している時とグルーブを再生している時で、フォーカスエラー信号に外乱が生じ、正確なフォーカスエラー信号がとれないという問題がある。
【００１１】
また、図５に示した従来の構成では、ＤＶＤ−ＲＡＭのようなランド・グルーブ型光ディスクで問題となる、トラック横断の際にフォーカスエラー信号に発生しやすい外乱の影響を大幅に解消することはできるが、図のようなサーボ信号の取り出し方では、サイドスポットＳ１，Ｓ２の光電変換信号より得られる（Ｅ＋Ｇ），（Ｆ＋Ｈ）の差信号をとることによりプッシュプル信号を得ることができるが、トラックに対しＳ１の内周側とＳ２の外周側の和と、Ｓ１の外周側とＳ２の内周側の差信号に相当する、即ち（ｅ＋ｈ＋ｊ＋ｋ）−（ｆ＋ｇ＋ｉ＋ｌ）の差信号を得ることができなくなる。それ故、前記したグレーティングの調整が不可能となるという問題がある。
【００１２】
本発明は前記事情に鑑み案出されたものであって、本発明の目的は、フォーカスエラー信号に発生する外乱の影響を及びトラッキングエラー信号に生じるオフセットを大幅に削減することができ且つ、光スポットを複数化するためのグレーティングの調整を行うことができるフォトディテクタ回路及びこのフォトディテクタ回路を搭載した光ディスク装置を提供することにある。
【課題を解決するための手段】
【００１３】
本発明は上記目的を達成するため、光ディスク上に３つ以上の光ビームを照射してひとつのメインスポット及び第１、第２のサブスポットの反射光を受光するフォトディテクタ回路であって、少なくとも４分割以上された光電変換領域を有し、前記メインスポットの反射光を受光する第１の光検出器と、少なくとも４分割以上された光電変換領域を有し、前記第１のサブスポットの反射光を受光する第２の光検出器と、少なくとも４分割以上された光電変換領域を有し、前記第２のサブスポットの反射光を受光する第３の光検出器と、前記第２、第３の光検出器の光電変換領域の中の２つ以上の分割領域から出力される光電変換信号を加算する複数の加算器と、前記各加算器に入力される光電変換信号の出力元の分割領域を切り替え、すなわち一方は加算する信号の出力元の分割領域が同一の光検出器に属するようにし、他方は加算する信号の出力元の分割領域が２つ以上の光検出器に属する領域に跨がるように切り替える複数の切替スイッチとを具備することを特徴とする。
【００１４】
このように本発明のフォトディテクタ回路では、第１、第２のサブスポットの反射光を光電変換する第２、第３の光検出器の各分割領域から出力される光電変換信号を加算器に入力する際に、切替スイッチによって加算する信号の出力元の分割領域が同一の光検出器に属するように切り替えると、各加算器から出力されるサーボ信号は差動プッシュプル法を用いた場合の信号になり、したがって、前記３つ以上のビームを生成するグレーティングの光軸方向の調整を行うための信号を得ることができる。
【００１５】
また、第１、第２のサブスポットの反射光を光電変換する第２、第３の光検出器の各分割領域から出力される光電変換信号を加算器に入力する際に、切替スイッチにより加算する信号の出力元の分割領域が前記第２、第３の光検出器に跨がって属するように切り替えると、各加算器から出力されるサーボ信号は差動非点収差法を用いた場合の信号となることにより、これらサーボ信号から生成されるフォーカスエラー信号を用いれば、トラック横断の際にフォーカスエラー信号に発生しやすい外乱の影響を大幅に解消することができ、精度の高い光ピックアップのフォーカス制御を行うことができる。
【００１６】
上記の動作を行うに際して、前記第２、第３の光検出器の各分割領域から出力される光電変換信号を電圧信号に変換して前記加算器または切替スイッチに入力することにより、ＭＯＳトランジスタなどで構成される前記切替スイッチの寄生容量の影響を抑止でき、広帯域特性を保持することができる。
【発明の効果】
【００１７】
本発明によれば、第１、第２のサブスポットの反射光を光電変換する第２、第３の光検出器の各分割領域から出力される光電変換信号を加算器に入力する際に、切替スイッチによって加算する信号の出力元の分割領域が同一の光検出器に属するように切り替えると、各加算器から出力されるサーボ信号は差動プッシュプル法を用いた場合の信号となることにより、これらサーボ信号により導出される差信号によって複数スポットを生成するためのグレーティング（回折格子）の位置調整を行うことができ、装置の歩留まりを向上させることができる。
また、第１、第２のサブスポットの反射光を光電変換する第２、第３の光検出器の各分割領域から出力される光電変換信号を加算器に入力する際に、切替スイッチにより加算する信号の出力元の分割領域が前記第２、第３の光検出器に跨がって属するように切り替えると、各加算器から出力されるサーボ信号は差動非点収差法を用いた場合の信号となることにより、これらサーボ信号から生成されるフォーカスエラー信号を用いれば、トラック横断の際にフォーカスエラー信号に発生しやすい外乱の影響を大幅に解消することができ、光ピックアップに対する精度の高いフォーカス制御を行うことができる。
また、前記第２、第３の光検出器の各分割領域から出力される光電変換信号を電圧信号に変換して前記加算器または切替スイッチに入力することにより、ＭＯＳトランジスタなどで構成される前記切替スイッチの寄生容量の影響を抑止でき、広帯域特性を保持することができ、データ書き込時の倍速数が大きくなっても、円滑な書き込みを行うことができる。
【発明を実施するための最良の形態】
【００１８】
フォーカスエラー信号に発生する外乱の影響及びトラッキングエラー信号に生じるオフセットを大幅に削減し且つ、光スポットを複数化するためのグレーティングの調整を行う目的を、２個のサブスポットの反射光をそれぞれ光電変換する２個の光検出器の各分割領域から出力される光電変換信号を、加算器に入力する際に、加算する信号の出力元の分割領域が同一の光検出器に属するように或いは、加算する信号の出力元の分割領域が２個の光検出器に属する領域に跨がるように切り替えることによって実現した。
【実施例１】
【００１９】
図１は、本発明の第１の実施の形態に係る光ディスク装置に搭載されるフォトディテクタ回路の構成を示したブロック図である。但し、従来例と同様の部分は同一符号を用いて説明する。
【００２０】
フォトディテクタ回路１００は、図示されないディスクからのメインスポットＭの反射光を光電変換する４分割光検出器１と、２個のサブスポットＳ１，Ｓ２の反射光をそれぞれ光電変換する４分割光検出器２１，２２と、４分割光検出器１の領域ａ，ｂ，ｃ，ｄの出力信号を電圧に変換する前置増幅器３１，３２，３３，３４と、４分割光検出器２１，２２の領域ｅ，ｆ，ｇ，ｈ，ｉ，ｊ，ｋ，ｌの中の２信号を加算する加算器５１，５２，５３，５４と、各加算器の一方の入力端子に入力する信号を切り替える切替スイッチ６１，６２，６３，６４とを有して構成される。但し、特許請求の範囲の第１、第２、第３の光検出器は光検出器１，２１，２２に相当し、複数の加算器は例えば第１、第２、第３、第４の加算器であり、加算器５１，５２，５３，５４に相当し、複数の切替スイッチは例えば第１、第２、第３、第４の切替スイッチであり、切替スイッチ６１，６２，６３，６４に相当する。
【００２１】
次に本実施の形態の動作について説明する。フォトディテクタ回路１００は、メインスポット用の４分割光検出器１とサブスポット用の４分割光検出器２１，２２からなる１２分割された光検出領域を有し、メインスポット用の光検出器１の領域ａ，ｂ，ｃ，ｄにより光電変換されて得られた電流信号は前置増幅器３１〜３４により電圧信号に変換されて、次段の図示されないＲＦ信号処理回路に入力される。
【００２２】
一方、サブスポット用の４分割光検出器２１，２２は、差動プッシュプル法で得られるサーボ信号と、差動非点収差法で得られるサーボ信号とを切り替えて出力できるようにスイッチ６１〜６４を介して加算器５１〜５４に接続される。なお、これらのスイッチはＭＯＳトランジスタなどにより簡単に構成できる。まず、切替スイッチ６１〜６４が（１）側に切り替わっている場合、加算器５１には光検出器２１の領域ｆと光検出器２２の領域ｊが接続されて信号ｆとｊが入力される。加算器５２には光検出器２１の領域ｈと光検出器２２の領域ｌが接続されて信号ｈとｌが入力される。加算器５３には光検出器２１の領域ｇと光検出器２２の領域ｋが接続されて信号ｇとｋが入力される。加算器５４には光検出器２１の領域ｅと光検出器２２の領域ｉが接続されて信号ｅとｉが入力される。
【００２３】
したがって、この場合、加算器５１からは（ｆ＋ｊ）のサーボ信号Ｅが、加算器５２からは（ｈ＋ｌ）のサーボ信号Ｆが、加算器５３からは（ｇ＋ｋ）のサーボ信号Ｇが、加算器５４からは（ｅ＋ｉ）のサーボ信号Ｈが次段のＲＦ信号処理回路に出力され、これは図５に示した差動非点収差法のフォトディテクタ回路のサーボ信号出力と同一となる。
【００２４】
このため、スイッチ６１〜６４が（１）側に切り替わった場合、これらサーボ信号を用いて次段のＲＦ信号処理回路は、（ｅ＋ｇ＋ｉ＋ｋ），（ｆ＋ｈ＋ｊ＋ｌ）及び（ａ＋ｃ），（ｂ＋ｄ）とに基づいて、｛（ａ＋ｃ）−（ｂ＋ｄ）｝＋Ｋ２｛（ｅ＋ｇ＋ｉ＋ｋ）−  （ｆ＋ｈ＋ｊ＋ｌ）｝を算出でき、これを差動非点収差法による前述した外乱の影響が大幅に解消されたフォーカスエラー信号として出力することができる。
【００２５】
次に、スイッチ６１〜６４が（２）側に切り替わっている場合、加算器５１には光検出器２１の領域ｆと領域ｇが接続されて信号ｆとｇが入力される。加算器５２には光検出器２１の領域ｅと領域ｈが接続されて信号ｅとｈが入力される。加算器５３には光検出器２２の領域ｊと領域ｋが接続されて信号ｊとｋが入力される。加算器５４には光検出器２２の領域ｉと領域ｌが接続されて信号ｉとｌが入力される。
【００２６】
したがって、この場合、加算器５１からは（ｆ＋ｇ）のサーボ信号Ｅが、加算器５２からは（ｅ＋ｈ）のサーボ信号Ｆが、加算器５３からは（ｊ＋ｋ）のサーボ信号Ｇが、加算器５４からは（ｉ＋ｌ）のサーボ信号Ｈが次段のＲＦ信号処理回路に出力される。
【００２７】
これは図４に示した差動プッシュプル法のフォトディテクタ回路のサーボ信号出力と同一となる。また、メインスポット用の光検出器１の領域ａ，ｂ，ｃ，ｄから出力される信号ａ，ｂ，ｃ，ｄは前置増幅器３１，３２，３３，３４により電圧変換されたサーボ信号Ａ，Ｂ，Ｃ，Ｄとなって次段のＲＦ信号処理回路に入力される。
【００２８】
ＲＦ信号処理回路は、信号Ａ〜Ｈより対物レンズ変位に伴うトラッキングエラー信号オフセットを大幅に低減したトラッキングエラー信号を生成する。また、（ｅ＋ｈ＋ｊ＋ｋ）と（ｆ＋ｇ＋ｉ＋ｌ）との差信号、これは図４の（Ｆ＋Ｇ）と（Ｅ＋Ｈ）の差信号に相当する信号を得ることができ、この差信号に基づいて、光ディスク上のスポットを複数化するグレーティングの光軸方向の調整を行うことができる。
【００２９】
本実施の形態によれば、切替スイッチ６１〜６４を端子（１）側に切り替えることにより、フォトディテクタ回路１００から差動非点収差法によるフォーカスエラー信号を得るためのサーボ信号を出力させることができるため、これらサーボ信号を用いて、外乱の影響が大幅に解消されたフォーカスエラー信号を生成することができ、特にＤＶＤ−ＲＡＭディスクの記録再生時のフォーカス制御を精度よく行うことができる。
【００３０】
さらに、上記した切替スイッチ６１〜６４を端子（２）側に切り替えることにより得られたサーボ信号を用いて、（ｅ＋ｈ＋ｊ＋ｋ）と（ｆ＋ｇ＋ｉ＋ｌ）との差信号を得ることができるため、この差信号を用いて光ディスク上のスポットを複数化（この場合は３個）するためのグレーティングの光軸方向の調整を行うことができ、光ディスク装置の歩留まりを向上させることができる。
【実施例２】
【００３１】
図２は、本発明の第２の実施の形態に係る光ディスク装置に搭載されるフォトディテクタ回路の構成を示したブロック図である。但し、図１に示した第１の実施の形態と同様の部分には同一符号を付し、その説明を適宜省略する。
【００３２】
本実施の形態のフォトディテクタ回路２００では、サブスポット用の光検出器２１、２２の領域ｅ〜ｌから出力される光電変換信号が、前置増幅器４１〜４８により電圧信号に変換されて、切替スイッチ６１〜６４に入力されるようになっている点と、そのため加算器５１´〜５４´は加算機能だけを有している点が第１の実施の形態と異なるところであり、他の構成は同様である。但し、特許請求の範囲の第１、第２、第３、第４、第５、第６、第７、第８の電流電圧変換器は前置増幅器４１，４３，４６，４８，４２，４４，４７，４５に相当する。
【００３３】
本実施の形態では、光検出器２１，２２の出力電流信号を加算器５１´〜５４´及び切替スイッチ６１〜６４に入力する前に、前置増幅器４１〜４８により電圧信号に変換するため、ＭＯＳトランジスタなどで構成される切替スイッチ６１〜６２の寄生容量による帯域劣化の影響をほとんど受けることなく、前記電圧信号を加算器５１´〜５４´に入力することができ、広帯域特性を保持することができる。したがって、データを書き込む時の倍速数が大きい場合でも、円滑な書き込み動作を行うことができる。
【００３４】
尚、本発明は上記実施の形態に限定されることなく、その要旨を逸脱しない範囲において、具体的な構成、機能、作用、効果において、他の種々の形態によっても実施することができる。上記実施の形態では光検出器の合計の分割領域を１２としたが、分割領域がこれ以上のものでも、本発明を適用して同様の効果を得ることができる。また、上記実施の形態はサブスポットの光検出器を２つとして説明したが、これ以上のものでも同様の効果を得ることができる。
【図面の簡単な説明】
【００３５】
【図１】本発明の第１の実施の形態に係る光ディスク装置に搭載されるフォトディテクタ回路の構成を示したブロック図である。
【図２】本発明の第２の実施の形態に係る光ディスク装置に搭載されるフォトディテクタ回路の構成を示したブロック図である。
【図３】従来の差動プッシュプル（ＤＰＰ）法を実現するための３ビーム法による３個のスポットの位置関係を示した図である。
【図４】差動プッシュプル法を用いた場合の従来のフォトディテクタ回路（ＰＤＩＣ）の構成を示したブロック図である。
【図５】差動非点収差法（ＤＡＳ）を用いた場合の従来のフォトディテクタ回路である。
【符号の説明】
【００３６】
１，２１，２２……４分割光検出器、３１〜３４、４１〜４８……前置増幅器、５１〜５４、５１´〜５４´……加算器、６１〜６４……切替スイッチ、１００、２００……フォトディテクタ回路。
【図１】
2005174421.tif 000003
【図２】
2005174421.tif 000004
【図３】
2005174421.tif 000005
【図４】
2005174421.tif 000006
【図５】
2005174421.tif 000007